(57)【要約】【課題】結婚披露宴などのイベントの参加者やその他の関係者の満足度を従来よりも高める。【解決手段】結婚披露宴などのイベントの様子をイベント初期またはイベント前の段階からカメラで撮影し、前記イベントの途中において、それ迄に撮影した画像をイベント会場またはこれに付随する場所において映し出すことにより鑑賞に供する第１のステップと、この第１のステップ後においても前記イベントの様子を継続して撮影するとともに、前記イベントの終了後の様子も併せて撮影する第２のステップと、この第２のステップ後において、前記第１および第２のステップの双方で撮影された画像のデータを、記憶媒体に記憶させた状態で、またはデータ通信により、所望の被提供者に提供する第３のステップと、を有している。【選択図】なし【特許請求の範囲】
【請求項１】
結婚披露宴などのイベントの様子をイベント初期またはイベント前の段階からカメラで撮影し、前記イベントの途中において、それ迄に撮影した画像をイベント会場またはこれに付随する場所において映し出すことにより鑑賞に供する第１のステップと、
この第１のステップ後においても前記イベントの様子を継続して撮影するとともに、前記イベントの終了後の様子も併せて撮影する第２のステップと、
この第２のステップ後において、前記第１および第２のステップの双方で撮影された画像のデータを、記憶媒体に記憶させた状態で、またはデータ通信により、所望の被提供者に提供する第３のステップと、
を有していることを特徴とする、結婚披露宴などのイベントの撮影画像のデータ提供方法。
【発明の詳細な説明】
【技術分野】
【０００１】
本発明は、結婚披露宴などのイベントの撮影画像のデータ提供方法に関する。
【背景技術】
【０００２】
従来、結婚披露宴などのイベントに関連して提供されるサービスとして、特許文献１に記載のサービスがある。
同文献においては、結婚披露宴などのイベントの様子をカメラで撮影し、この撮影された画像のデータを、通信網を利用して要望者に送信するようにしている。
しかしながら、このようなサービスが提供されるだけでは、結婚披露宴の出席者あるいはその関係者などの幅広いニーズに十分に応え得るとは言い難い。
【先行技術文献】
【特許文献】
【０００３】
【特許文献１】特開２０１３−１３０９６２号公報
【発明の概要】
【発明が解決しようとする課題】
【０００４】
本発明は、前記したような事情のもとで考え出されたものであり、その目的とするところは、結婚披露宴などのイベントの参加者やその他の関係者の満足度を従来よりも高める点にある。
【課題を解決するための手段】
【０００５】
上記の課題を解決するため、本発明では、次の技術的手段を講じている。
【０００６】
本発明により提供される結婚披露宴などのイベントの撮影画像のデータ提供方法は、結婚披露宴などのイベントの様子をイベント初期またはイベント前の段階からカメラで撮影し、前記イベントの途中において、それ迄に撮影した画像をイベント会場またはこれに付随する場所において映し出すことにより鑑賞に供する第１のステップと、この第１のステップ後においても前記イベントの様子を継続して撮影するとともに、前記イベントの終了後の様子も併せて撮影する第２のステップと、この第２のステップ後において、前記第１および第２のステップの双方で撮影された画像のデータを、記憶媒体に記憶させた状態で、またはデータ通信により、所望の被提供者に提供する第３のステップと、を有していることを特徴としている。
【０００７】
このような構成によれば、結婚披露宴などのイベントの初期またはそれ以前の段階からイベント終了後の様子までを撮影した画像のデータを、所望の被提供者に提供できるばかりではなく、イベントの途中においては、それ迄に撮影された画像の内容をイベント参加者に鑑賞してもらうことができるために、このこと自体がイベントにおける１つのプログラムとなり、イベント参加者に楽しみ、あるいは面白みをもってもらえることとなる。また、イベントの初期またはそれ以前の時期からイベント終了後までを撮影した画像のデータを、希望者に販売するといったシステムを採用した場合には、イベントの途中までの撮影画像をイベント参加者に鑑賞してもらうことによって、前記画像のデータを購入するか否かの判断材料にしてもらうこともできる。
【発明を実施するための形態】
【０００８】
本発明の好ましい実施の形態においては、イベントとして、たとえば結婚披露宴が行なわれる場合には、次のような流れとなる。
【０００９】
まず、結婚披露宴の初期、より好ましくは、結婚披露宴に先立って行なわれる結婚式の時期から、これらの様子をカメラで撮影する。好ましくは、この撮影画像は、動画とする。結婚披露宴では、お色直しが行なわれるのが一般的であるが、たとえばこのような時期に、それ迄に撮影された画像のデータを、結婚披露宴会場に設置された大型スクリーンなどに写し出す。その際に写し出される画像は、手短に編集した内容でよく、結婚式のみの様子、披露宴のみの様子、あるいはこれらの双方の様子のいずれであってもよい。また、前記撮影画像を写し出す場所は、結婚披露宴会場に加え、または代えて、たとえば結婚披露宴会場が入っている建物のホールや廊下などとし、これらの場所に設置したディスプレイを利用して撮影画像を映し出すことにより、結婚披露宴会場には居ない人の目に触れるようにしてもよい。
【００１０】
一方、結婚披露宴の様子の撮影はその後も継続して行なう。さらには、結婚披露宴の終了後における新郎新婦の様子、来賓あるいは一般の披露宴参加者のメッセージや様子なども撮影する。
これらの撮影を終えた後には、結婚披露宴に関連して撮影された一連の画像を適当な時間内に収めるように編集した上で、たとえばＤＶＤ、ＣＤ、あるいはＵＳＢメモリなどの記憶媒体に記憶させる。結婚当事者や披露宴参加者の全員あるいは希望者には、前記の記憶媒体を有償または無償で提供する。撮影画像データの提供手段としては、記憶媒体を用いる手段に代えて、または加えて、インターネットなどの通信網を利用し、データの被提供者が所有する通信端末に撮影画像のデータを送信する手段を採用することもできる。この場合、所定のホームページ上に撮影画像のデータをアップしておき、希望者が自己のパソコンなどにダウンロードする方式を採用することもできる。
【００１１】
本実施形態によれば、結婚披露宴の途中でそれ迄の撮影画像が映し出されるために、これが結婚披露宴の１つのプログラムとなる。お色直しなどの時間帯に、前記した撮影画像を映し出すようにすれば、披露宴参加者に退屈感を与えることもない。また、結婚式に出席していない人に、結婚式の様子を伝えることも可能であり、有意義である。一方、結婚披露宴の初期またはそれ以前の時期から結婚披露宴終了後までの様子を撮影した画像のデータも提供されるために、結婚当事者などにとって貴重なものとなる。非当事者にとっては、結婚披露宴の様子を知るための貴重な情報源となる。
【００１２】
上述の実施形態においては、イベントの例として結婚披露宴を挙げて説明したが、本発明はこれに限定されない。
本発明が対象とするイベントは、結婚披露宴に限定されるものではない。本発明でいうイベントの他の具体例としては、葬式、結婚以外の披露宴、コンサート、運動会、会社や各種学校などにおける記念式典、送別会、歓迎会、誕生日会、および各種の宴会などが挙げられる。
本発明でいう撮影画像は、動画に限らず、静止画であってもよい。
本発明においては、結婚披露宴などのイベントの撮影画像のデータ提供システムとして構成することもできる。この場合のシステム構成は、イベント撮影用のカメラ、データ処理装置、および通信端末装置を備えたシステム構成とされ、データ処理装置は、請求項１に記載された所定のステップ１〜３を実行するためのデータ処理を行なうものとされる。